(57)【要約】【課題】首元を含めて自動で洗髪できる洗髪機を提供する。【解決手段】被洗髪者の頭部及び髪を収めるシンク２の内側に、頭頂に向けて洗浄水を噴射する頭頂用ノズルリンク１１、及び襟足に向けて洗浄水を噴射する襟足用ノズルリンク１２を備えた洗髪機において、仰向け姿勢の被洗髪者の首元をシンク２の内側に臨ませた状態で、被洗髪者の後頭部を支える頭部支え部７０を、各ノズルリンク１１，１２の移動軌跡を避けるように配置し、頭部支え部７０で後頭部を支えた状態の被洗髪者の首元に向けて洗浄水を噴射する首元用ノズルリンク８０を設けた。【選択図】図２
2010178977.tif 000002
【特許請求の範囲】
【請求項１】
被洗髪者の頭部及び髪を収めるシンクの内側に、頭頂に向けて洗浄水を噴射する頭頂用ノズルリンク、及び襟足に向けて洗浄水を噴射する襟足用ノズルリンクを備えた洗髪機において、仰向け姿勢の被洗髪者の首元をシンクの内側に臨ませた状態で、被洗髪者の後頭部を支える頭部支え部を、各ノズルリンクの移動軌跡を避けるように配置し、頭部支え部で後頭部を支えた状態の被洗髪者の首元に向けて洗浄水を噴射する首元用ノズルリンクを設けたことを特徴とする洗髪機。
【請求項２】
前記頭部支え部はネットで形成されており、該頭部支えネットの両端は前記首元用ノズルリンクに連結され、該首元用ノズルリンクは両端がシンクにより支持されていることを特徴とする請求項１に記載の洗髪機。
【請求項３】
前記頭部支えネットと前記首元用ノズルリンクは被洗髪者の首元下方で連結されていることを特徴とする請求項２に記載の洗髪機。
【請求項４】
前記頭部支えネットは後頭部頂点に対応する中央部の網目が大きく、両端に近づくほど網目が小さく形成されていることを特徴とする請求項２または３に記載の洗髪機。
【請求項５】
前記シンクの壁部には被洗髪者の首後ろ部を受ける頸部支持部を備え、前記頸部支持部は、ばね支持機構により上下方向に変位自在に前記シンクの壁部に支持されていることを特徴とする請求項１ないし４のいずれか一項に記載の洗髪機。
【請求項６】
前記頸部支持部は、シンクとの間における水封機能を備えたことを特徴とする請求項５に記載の洗髪機。
【発明の詳細な説明】
【技術分野】
【０００１】
この発明は洗髪機に関し、特に、自動的に洗髪が行われる、主として理美容院等で使用される洗髪機に関する。
【背景技術】
【０００２】
一般に、被洗髪者の頭部及び髪を収めるシンクの内側に、頭頂に向けて洗浄水を噴射する頭頂用ノズルリンク、及び襟足に向けて洗浄水を噴射する襟足用ノズルリンクを備えた洗髪機が知られている（例えば、特許文献１参照）。この洗髪機は、髪や頭部に洗浄水を噴射して人手を介さずに洗髪を自動で行うことが可能である。
また、従来、シンクの内側に、仰向け姿勢の被洗髪者の後頭部を支える頭部支え部を備えたものが提案されている（例えば、特許文献２参照）。
【特許文献１】特開平７−２３６５１１号公報
【特許文献２】特開２００３−１８０４４０号公報
【発明の開示】
【発明が解決しようとする課題】
【０００３】
しかしながら、特許文献１の技術は、頭頂用及び襟足用の各ノズルリンクを備えているが、首元で頭部を支えていたため、特に首元の洗髪が困難であり、自動洗髪の阻害要因となっていた。また、特許文献２の技術では、シンクの内側の頭部支え部に頭部を位置させると、被洗髪者の頸部がシンクの壁部の首受け部に位置する。首元で頭部の荷重を受けると、身体に負担がかかり、疲労感のでる恐れがあった。
【０００４】
そこで、本発明の目的は、上述した従来の技術が有する課題を解消し、首元を含めて自動で洗髪できる洗髪機を提供することにある。
また、シンク内の頭部支え部に頭部を位置させたときに、被洗髪者の頸部の位置を安定できる洗髪機を提供することにある。
【課題を解決するための手段】
【０００５】
本発明は、被洗髪者の頭部及び髪を収めるシンクの内側に、頭頂に向けて洗浄水を噴射する頭頂用ノズルリンク、及び襟足に向けて洗浄水を噴射する襟足用ノズルリンクを備えた洗髪機において、仰向け姿勢の被洗髪者の首元をシンクの内側に臨ませた状態で、被洗髪者の後頭部を支える頭部支え部を、各ノズルリンクの移動軌跡を避けるように配置し、頭部支え部で後頭部を支えた状態の被洗髪者の首元に向けて洗浄水を噴射する首元用ノズルリンクを設けたことを特徴とする。
本発明では、シンク内の頭部支え部に被洗髪者の頭部を位置させたときに、その首元がシンクの内側に臨み、この被洗髪者の首元に向けて首元用ノズルリンクから洗浄水が噴射されるため、首元を含めた自動洗髪が可能になる。また、頭部支え部は、各ノズルリンクの移動軌跡を避けるように配置したため、頭部支え部がノズルリンク動作の支障にならず、干渉が回避できる。
【０００６】
この場合において、前記頭部支え部はネットで形成されており、該頭部支えネットの両端は前記首元用ノズルリンクに連結され、該首元用ノズルリンクは両端がシンクにより支持されていてもよい。
本構成では、頭部支え部がネットで形成されることで、各ノズルリンクからの温水が被洗髪者の後頭部に行き渡りやすい。
また、頭部支えネットの両端は首元用ノズルリンクに連結されるため、頭部支えネットを取り付けるためのシンクへの追加加工が不要になる。さらに、首元用ノズルリンクは両端がシンクにより支持されるため、首元用ノズルリンクの周囲にはスペースが確保でき、この洗髪機に例えば手で被洗髪者の髪を洗うハンドシャワーを備えた場合でも、該リンクが邪魔にならず洗髪時の手の動きが阻害されない。
あるいは、前記頭部支えネットと前記首元用ノズルリンクは被洗髪者の首元下方で連結されていてもよい。
首元下方で連結したことで、左右の洗髪空間を確保できる。
【０００７】
また、前記頭部支えネットは後頭部頂点に対応する中央部の網目が大きく、両端に近づくほど網目が小さく形成されていてもよい。
本発明では、中央部の網目が大きいため、各ノズルリンクからの洗浄水が後頭部頂点の近傍に行き渡りやすい。また、両端（ネットの支持部側）に近づくほど網目が小さく形成されているため、支持の強度が向上する。
【０００８】
本発明は、前記シンクの壁部には被洗髪者の首後ろ部を受ける頸部支持部を備え、前記頸部支持部は、ばね支持機構により上下方向に変位自在に前記シンクの壁部に支持されていることを特徴とする。
被洗髪者が仰向けになった場合、人体の構造上、後頭部と頸部の高さは人によって異なる。本発明では、頭部支え部で後頭部を支えた場合、被洗髪者の首後ろ部は、頸部支持部で支持される。このとき、頸部支持部は、ばね支持機構により上下方向に変位自在に支持されているため、頸部支持部は、頸部の高さに応じて上下に変位し、したがって、被洗髪者の疲労感が解消できる。また、頸部支持部を、ばね力を使用したばね支持機構で支持したため、例えばクッション材を使用した場合などに比べ、大きな弾性力が得られ、後頭部の高さの差を大きく吸収できる。
前記頸部支持部は、シンクとの間における水封機能を備えていてもよい。
被洗髪者の着衣をぬらすことなく、洗髪できる。
【発明の効果】
【０００９】
本発明では、シンク内の頭部支え部に被洗髪者の頭部を位置させたときに、その首元がシンクの内側に臨み、この被洗髪者の首元に向けて首元用ノズルリンクから洗浄水が噴射されるため、首元を含めた自動洗髪が可能になる。また、頭部支え部は、各ノズルリンクの移動軌跡を避けるように配置したため、頭部支え部がノズルリンク動作の支障にならず、干渉が回避できる。
【発明を実施するための最良の形態】
【００１０】
以下、本発明の一実施の形態を、添付図面を参照して説明する。
図１において、１は自動洗髪機を示している。
この自動洗髪機１は、被洗髪者の頭部を収容するためのシンク２と、シンク２を保持するシンク保持台３と、シンク保持台３の前方に配置され、被洗髪者が座るための椅子４と、椅子４を保持する椅子保持台５とを備えている。
【００１１】
シンク２は、図２に示すように、その上面に開口を有する碗状の部材である。シンク２の前側には、仰向け姿勢の被洗髪者の首元を、シンク２の内側に臨ませた状態にして、被洗髪者の後頭部を支える頭部支えネット（頭部支え部）７０が配置されている。また、シンク２の前側の壁部２Ａには、椅子４に座った状態で被洗髪者が仰向けで、頭部支えネット７０に後頭部を載せた状態で、首を載せることができるネック台（頸部支持部）７が配置されている。シンク２の上面の開口は、カバー８により覆うことができる。カバー８は、その後端が連結部９を介してシンク２の後端に連結されていて、連結部９を中心にして鉛直面内で回動可能となっている。洗髪時などには、カバー８を開いた状態で、椅子４に座っている被洗髪者の首をネック台７に載せた後、カバー８を閉じることにより、被洗髪者に頭部をシンク２内に収容することができる。
【００１２】
シンク２内には、被洗髪者の頭部および髪に向けて洗浄水（温水、シャンプー液が混入された温水、トリートメント液が混入された温水など）を噴射するための上ノズルリンク（頭頂用ノズルリンク）１１および下ノズルリンク（襟足用ノズルリンク）１２が配置されている。上ノズルリンク１１は、被洗髪者の頭部に沿うように、図示位置で上に凸の略円弧状に湾曲した管状の部材であって、その左端部が回動可能に片持ち支持されており、被洗髪者の頭部に向かって洗浄水を噴射する。下ノズルリンク１２は、後方に向かって洗浄水を噴射することにより、後方側に垂れ下がった被洗髪者の髪（想像線で示す。）を洗浄する。この下ノズルリンク１２は、被洗髪者の髪を囲うように、図示位置で左方に凸の略弓形状に湾曲した管状の部材であって、その左端部が上ノズルリンク１１よりも下方で回転可能に片持ち支持されている。また、シンク２内には、仰向け姿勢の被洗髪者の首元に向けて洗浄水を噴射する首元用ノズルリンク８０が配置されている。
【００１３】
上下ノズルリンク１１，１２、および首元用ノズルリンク８０には、それぞれ複数のノズルが備えられていて、洗髪時には、上下ノズルリンク１１，１２、および首元用ノズルリンク８０内に送られてきた洗浄水が各ノズルから噴射される。上下ノズルリンク１１，１２は回動し、首元用ノズルリンク８０は固定である。各ノズルから洗浄水を噴射することで、被洗髪者の頭部および髪の全体を洗浄できる。シンク２内の後側上部には、ハンドシャワー１３が配置されている。オペレータ（美容院の従業員など）は、ハンドシャワー１３の右方に配置されたコック１４を回すことにより、ハンドシャワー１３から放水する水量を調節して、手動で洗髪できる。
【００１４】
自動洗髪機１で使用する水は、図３に示すように、機外の水道設備および給湯設備（図示せず）からミキシングバルブ１５および給水管１６を介して機内に供給される。ミキシングバルブ１５には、水道設備から水供給部１７を介して水が与えられるとともに、給湯設備から湯供給部１８を介して湯が与えられる。ミキシングバルブ１５は、水供給部１７および湯供給部１８から与えられる水および湯を混合し、温水にして給水管１６に送り出すためのものである。給水管１６内の途中部には、ミキシングバルブ１５から送り出される温水の温度を検知するためのサーミスタ１９が配置されている。サーミスタ１９の検知結果に基づいてモータ２０が駆動されることにより、ミキシングバルブ１５が開閉されて水と湯との混合割合が調整され、設定温度の温水が生成される。ミキシングバルブ１５は、モータ２０で調整される電動タイプである。モータ２０は、ＤＣモータまたは直流電動機であり、ブラシなどを備えている。
【００１５】
また、シンク２の側方には、操作パネル６０（図２）が設けられており、設定温度は、オペレータ（ユーザ）が操作パネル６０を操作することにより決定される。給水管１６は、途中部（サーミスタ１９よりも下流側）からハンドシャワー用給水管２１と貯湯用給水管２２とに分岐している。ハンドシャワー用給水管２１は、コック１４によって開閉可能なハンドシャワー用バルブ２３を介してハンドシャワー１３に連通している。一方、貯湯用給水管２２は、給湯バルブとしての貯湯バルブ２４を介して貯湯タンク２５内に温水を供給することができる。
【００１６】
貯湯タンク２５の内部には、当該貯湯タンク２５に貯められている温水の水位を検知するための第１水位センサ２６および第２水位センサ２７が、上下方向に一定間隔を空けて配置されている。貯湯タンク２５内の温水が使用されて、所定の最低水位に達したことが第２水位センサ２７により検知された場合には、貯湯バルブ２４が開かれて、貯湯タンク２５内に温水が供給される。その後、貯湯タンク２５内の温水が所定の最高水位に達したことが第１水位センサ２６により検知されると、貯湯バルブ２４が閉じられて、温水の供給が停止する。このようにして、貯湯タンク２５内には、最低水位と最高水位との間で、常に温水が貯められた状態となっている。
【００１７】
貯湯タンク２５の上部（第１水位センサ２６よりも上方）には、第１水位センサ２６の故障などに起因して貯湯タンク２５内に最高水位以上の温水が供給された場合に、その余分な温水を貯湯タンクの外部に溢れ出させるための溢水口２８が形成されている。溢水口２８から溢れ出した温水は、オーバフロータンク２９によって受けられ、このオーバフロータンク２９に連通する排水管３０を通って機外に排出される。オーバフロータンク２９内にはオーバフローセンサ３１が配置され、たとえば排水管３０が詰まってオーバフロータンク２９内の水位が最高水位に到達したことがオーバフローセンサ３１によって検知された場合には、自動洗髪機１の運転が停止される。
【００１８】
貯湯タンク２５の最下部には、一端がメインポンプ３２に接続された吸込管３３の他端が接続されている。メインポンプ３２は、インバータ（図示せず）から交流電流が供給されることにより駆動され、吸込管３３を介して貯湯タンク２５内の温水を吸い込むものである。吸込管３３の途中には、シャンプー液が収容されたシャンプー容器３４に至るシャンプー供給管３５と、トリートメント液が収容されたトリートメント容器３６に至るトリートメント供給管３７とが接続されている。シャンプー供給管３５およびトリートメント供給管３７の途中部には、それぞれシャンプー用ポンプ３８およびトリートメント用ポンプ３９が備えられていて、シャンプー用ポンプ３８およびトリートメント用ポンプ３９の働きにより、吸込管３３内を通る温水に、シャンプー液およびトリートメント液の混入量を適度に調整することにより、メインポンプ３２には、そのとき使用すべき洗浄水が汲み込まれることとなる。
【００１９】
吸込管３３からメインポンプ３２内に吸い込まれた洗浄水は、複数（たとえば、４つ）の分路を有する送水管４０に送り出される。送水管４０内には、フィルタ４１が設けられていて、その下流側の５つの分路には、上ノズルバルブ４２、下ノズルバルブ４３、首元用ノズルバルブ７４、排水バルブ４４および予備バルブ４５の５つのバルブが設けられている。上ノズルバルブ４２、下ノズルバルブ４３、首元用ノズルバルブ７４、排水バルブ４４および予備バルブ４５が設けられた５つの分路には、それぞれ、分岐路４６，４７，７５，４８，４９が延設されている。上ノズルバルブ４２から延設された分岐路４６の終端は上ノズルリンク１１に接続され、下ノズルバルブ４３から延設された分岐路４７の終端は下ノズルリンク１２に接続され、首元用ノズルバルブ７４から延設された分岐路７５の終端は首元用ノズルリンク８０に接続されている。
【００２０】
シンク２の底面には、当該シンク２内に水を排出するための排出口５０が形成されていて、この排出口５０は、逆流を防止するための排水トラップ５１を介して排水管３０に連通している。これにより、シンク２の排水口５０から排出された水は、排水管３０を通って、機外に排水されるようになっている。排水バルブ４４から延設された分岐路４８の終端は、排水トラップ５１に接続されている。
【００２１】
図４は、頭部支えネット７０および首元用ノズルリンク８０の関係を示す図である。首元用ノズルリンク８０は、図４Ａに示すように、略Ｍ字状に曲げられた管状の部材であって、２つの隅部にブラケット８１，８１が溶接で固定され、このブラケット８１，８１を介してシンク２の前側の内壁に固定されている。首元用ノズルリンク８０の水平部８２は、被洗髪者の首元の形状に倣って下に凸に湾曲しており、上部の中央寄りには、適宜の間隔をあけて、３つのノズル８３，８３，８３が取り付けられている。また、水平部８２には、図４Ｂに示すように、該水平部８２に直交して、シンク２の内側に向けてほぼ水平に延びる２つの支持棒８４が溶接により固定されており、２つの支持棒８４には、頭部支えネット７０の両端の支持部７１が支持されている。
【００２２】
頭部支えネット７０は樹脂成形部材であり、図５Ａ，Ｂに示すように、その両端に、支持棒８４が嵌る支持部７１を有している。この頭部支えネット７０は、被洗髪者の後頭部頂点に対応する中央部７２寄りの網目７２Ａが大きく、両端の支持部７１に近づくほど網目７１Ａが小さく形成されている。この頭部支えネット７０は、図２を参照し、上ノズルリンク１１および下ノズルリンク１２の動作に影響を与えない位置、すなわち各リンク１１，１２の軌跡を避けた位置に固定されている。
【００２３】
上ノズルリンク１１および下ノズルリンク１２は、共に片持ち支持した状態で、同期して往復回転自在である。上ノズルリンク１１は、回転軸Ａを中心に上方から矢印Ｃ方向に回転を開始し、ほぼ１３０°回転した後に鉛直姿勢となって、そこから逆回転して図示の位置に戻る。また、下ノズルリンク１２は、回転軸Ｂを中心に下方から矢印Ｄ方向に回転を開始し、ほぼ８０°回転した後、そこから逆回転して図示の位置に戻る。このような各リンク１１，１２の動作中、ノズルから常に洗浄水が噴射され、被洗髪者の頭部および髪が自動洗髪される。なお、各リンクの回転角は適宜に定められる。
【００２４】
本実施の形態では、上記構成により、シンク２内の頭部支えネット７０に被洗髪者の頭部を位置させたときに、その首元がシンク２の内側に臨む。そして、この被洗髪者の首元に向けて、首元用ノズルリンク８０から洗浄水が噴射されるため、上ノズルリンク１１および下ノズルリンク１２の動作と相まって、首元を含めたほぼ完全な自動洗髪が可能になる。また、頭部支えネット７０は、各ノズルリンク１１，１２の移動軌跡を避けるように配置したため、頭部支えネット７０がノズルリンク１１，１２の動作の支障にならず、干渉が回避できる。また、頭部の支え部がネット７０で形成されることで、各ノズルリンク１１，１２からの洗浄水が被洗髪者の後頭部に行き渡りやすくなる。また、頭部支えネット７０の両端の支持部７１が、首元用ノズルリンク８０の支持棒８４に連結されているため、頭部支えネット７０を取り付けるために、わざわざシンク２に追加加工などをする必要がなく、簡易な取り付けが実現できる。
【００２５】
さらに、首元用ノズルリンク８０は両端がシンク２により支持されるため、首元用ノズルリンク８０の周囲にはスペースが確保でき、ハンドシャワー１３による洗髪を行う際に、該リンク８０が邪魔にならず洗髪時の手の動きが阻害されない。また、頭部支えネット７０と首元用ノズルリンク８０は被洗髪者の首元下方で連結されているため、これによっても、左右の洗髪空間が確保できる。
また、頭部支えネット７０は後頭部頂点に対応する中央部７２の網目が大きいため、各ノズルリンク１１，１２からの洗浄水が後頭部頂点の近傍に行き渡りやすく、両端の支持部７１に近づくほど網目が小さく形成されているため、支持部７１寄りの強度が高まり、支持の強度が向上する。
【００２６】
図６は、ネック台（頸部支持部）７の構造を示す。
本構成では、上述したように被洗髪者の後頭部を頭部支えネット７０で支持するため、首元は支えが不要になり、首部の部品（ネック台７）を、水封するための小さい部品とすることができ、襟足をシンク２の内側に入れることができる。
図６Ａに示すように、シンク２の前側の壁部２Ａには、ほぼ矩形状の上端開放の切り欠き部２Ｂが形成され、切り欠き部２Ｂには水封状態でネック台７が配置されている。切り欠き部２Ｂの底部２Ｃには、一対のスリーブ９０が立設されており、それぞれのスリーブ９０内にはコイルスプリング９２（ばね支持機構）が配置されている。
一方、ネック台７は樹脂製であり、図６Ｂ，Ｃ，Ｄに示すように、上部に被洗髪者の首を受ける首受け部７Ａがあり、この首受け部７Ａにはクッション性を有する素材が使用されている。ネック台７の両側面には上下に延びた溝部７Ｂがあり、この溝部７Ｂには、切り欠き部２Ｂの側部２Ｄが水封状態で嵌っている。また、ネック台７には一対の袋穴７Ｃが形成されており、この袋穴７Ｃにはスリーブ９０が嵌り、このスリーブ９０で支持したコイルスプリング９２の先端が、袋穴７Ｃの穴底７Ｄに当接している。また、ネック台７の下部には、横に延びた溝部７Ｅがあり、この溝部７Ｅには、切り欠き部２Ｂの底部２Ｃが水封状態で嵌っている。
【００２７】
図１に示すように、被洗髪者が仰向けになった場合、人体の構造上、首の太さなどに起因して、後頭部と頸部の高さは人によって異なる。
本実施の形態では、頭部支えネット７０で後頭部を支えた場合に、被洗髪者の首後ろ部は、ネック台７で支持される。このとき、ネック台７は、コイルスプリング９２で上下方向に変位自在に支持されているため、頸部の高さに応じて上下に変位し、したがって、被洗髪者の疲労感などが解消できる。また、ネック台７を、ばね力を使用したばね支持機構で支持したため、例えばクッション材を使用した場合などに比べ、大きな弾性力が得られ、後頭部の高さの差を大きく吸収できる。
また、ネック台７は、シンク２との間における水封機能を備えているため、被洗髪者の着衣をぬらすことなく、洗髪できる。
【００２８】
上記ネック台（頸部支持部）７の特徴事項に関しては、上記形態による自動洗髪機１への適用に限定されるものではない。
図７は、ノズルリンク及び頭部支えネット７０などの設備を持たない、一般的なシャンプーボールを示し、図８は、該シャンプーボールに適用したネック台を示している。
このシャンプーボール１００は、被洗髪者の頸部及び髪を受け入れる洗髪用の窪み部１０１を備え、その周囲を周囲壁１０２により囲って形成されている。シャンプーボール１００における被洗髪者の首後ろ部を載せる部位にはネック台１０７が配置され、周囲壁１０２の反対側の縁には平坦部１０３が形成され、この平坦部１０３には、ホースが引き出し自在に取り付けられたシャワーヘッド１０４と、止水摘み１０５とが配置されている。
【００２９】
この実施の形態では、図８に示すように、ネック台１０７が配置される周囲壁１０２に、ほぼ矩形状の上端開放の切り欠き部１０２Ｂが形成され、切り欠き部１０２Ｂには水封状態でネック台７が配置されている。切り欠き部１０２Ｂの底部１０２Ｃには、一対のスリーブ１９０が立設されており、それぞれのスリーブ１９０内にはコイルスプリング１９２（ばね支持機構）が配置されている。
一方、ネック台７は樹脂製であり、図８Ｂ，Ｃ，Ｄに示すように、上部に被洗髪者の首を受ける首受け部１０７Ａがあり、この首受け部１０７Ａにはクッション性を有する素材が使用されている。ネック台１０７の両側面には上下に延びた溝部１０７Ｂがあり、この溝部１０７Ｂには、切り欠き部１０２Ｂの側部１０２Ｄが水封状態で嵌っている。また、ネック台１０７には一対の袋穴１０７Ｃが形成されており、この袋穴１０７Ｃにはスリーブ１９０が嵌り、このスリーブ１９０で支持したコイルスプリング１９２の先端が、袋穴１０７Ｃの穴底１０７Ｄに当接している。
また、ネック台１０７の下部には、横に延びた溝部１０７Ｅがあり、この溝部１０７Ｅには、切り欠き部１０２Ｂの底部１０２Ｃが水封状態で嵌っている。
【００３０】
本実施の形態では、例えば椅子の背凭れを倒して被洗髪者の頸部をネック台１０７に位置させると、被洗髪者の頭部の重みに応じて各コイルスプリング１９２が伸縮し、これによってネック台１０７が上下する。この上下によって、ネック台１０７は首後ろ部にフィットした状態となるので、被洗髪者が不快感や苦痛を感じることなく快適な洗髪姿勢で洗髪を受けることが可能となる。
各コイルスプリング１９２のばね力は、被洗髪者の頸部を載せた状態で該頸部を安定的に支持するばね力に設定され、少なくとも各コイルスプリング１９２が、縮みきってしまうことがないように設定することが望ましい。
例えばハンドシャワーなどで洗髪する場合、被洗髪者の頭部を手で支持して行うが、各コイルスプリング１９２のばね力は、頭部から手を離しても、頸部を十分支持できる程度の大きさのばね力が必要なことは云うまでもない。また、左右一対のコイルスプリング１９２のばね力は、左右均等に設定することが望ましい。
【００３１】
また、図示は省略したが、このシャンプーボール内に、仰向け姿勢の被洗髪者の後頭部を支持する枕体を配置した装置にも適用が可能である。この場合の枕体は、上記実施形態の頭部支えネット７０などであってもよいが、単にシャンプーボール内に位置づけたクッションなどであってもよい。
この場合であっても、周囲壁１０２の前壁に図８と同様の構成によるネック台１０７を配置することで、枕体（頭部支え部）で後頭部を支えた場合に、被洗髪者の首後ろ部は、ネック台１０７で支持される。このとき、ネック台１０７は、コイルスプリング１９２で上下方向に変位自在に支持されているため、頸部の高さに応じて上下に変位し、したがって、被洗髪者の疲労感などが解消できる。また、ネック台１０７を、ばね力を使用したばね支持機構で支持したため、例えばクッション材を使用した場合などに比べ、大きな弾性力が得られ、後頭部の高さの差を大きく吸収できる。
また、ネック台１０７は、周囲壁１０２との間における水封機能を備えるため、被洗髪者の着衣をぬらすことなく、洗髪できる。
【図面の簡単な説明】
【００３２】
【図１】この発明の一実施形態にかかるミキシングバルブが備えられた自動洗髪機の内部構成を示す概略断面図である。
【図２】図１のシンク部分の拡大図である。
【図３】自動洗髪機に使用する水の流れを示す水路図である。
【図４】頭部支えネットおよび首元用ノズルリンクの関係を示す図であり、Ａは正面図、Ｂは平面図である。
【図５】頭部支えネットを示す図であり、Ａは平面図、Ｂは端面図である。
【図６】ネック台の支持状態を示す図であり、Ａはシンクの切り欠き部を示す正面図、Ｂはネック台の正面図、Ｃは図６ＢのＣ−Ｃ断面図、Ｄは側面図である。
【図７】シャンプーボールを示す斜視図である。
【図８】シャンプーボールに適用したネック台の一実施の形態を示す図であり、Ａは周囲壁の切り欠き部を示す正面図、Ｂはネック台の正面図、Ｃは図８ＢのＣ−Ｃ断面図、Ｄは側面図である。
【符号の説明】
【００３３】
１  自動洗髪機
２  シンク
２Ｂ  切り欠き部
７  ネック台
１１  上ノズルリンク（頭頂用ノズルリンク）
１２  下ノズルリンク（襟足用ノズルリンク）
７０  頭部支えネット（頭部支え部）
８０  首元用ノズルリンク
８２  水平部
８４  支持棒
９０  スリーブ
９２  コイルスプリング（ばね支持機構）
【図１】
2010178977.tif 000003
【図２】
2010178977.tif 000004
【図３】
2010178977.tif 000005
【図４】
2010178977.tif 000006
【図５】
2010178977.tif 000007
【図６】
2010178977.tif 000008
【図７】
2010178977.tif 000009
【図８】
2010178977.tif 000010